【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
社会的ネットワークを生成するための、位置特定に基づくサービスを提供する方法であって、
ユーザのプロフィールを生成することと、
無線端末を用いて、前記プロフィールから、少なくとも１つの趣味に基づいて趣味のグループの特徴を生成することと、
前記無線端末から、前記趣味のグループの特徴をアクティブにすることと、
前記無線端末から、前記趣味のグループの特徴と関係付けられた位置特定に基づくサービスに登録することと、
候補から１つ以上の応答を受信することと、ここで、前記候補の各々は、対応する候補のプロフィールと、各候補の地理的な位置特定とに基づいて、前記趣味のグループの特徴にアクセスする、
前記趣味のグループの特徴と関連付けられた商業エンティティから１つ以上の広告を受信することと
を備え、
前記趣味のグループの特徴は、前記ユーザおよび少なくとも１つの候補が会うように取り決めしたイベントに対応し、前記少なくとも１つの候補の前記対応する候補のプロフィールは、前記イベントの性質への関心を示し、前記候補の地理的な位置特定は、前記イベントのイベント位置特定に近い、方法。
【請求項２】
前記１つ以上の応答が受信される前記候補と関連づけられた少なくとも１つのアクティブな候補インジケータを前記無線端末のディスプレイに表示することと、ここで、前記少なくとも１つのアクティブな候補インジケータは、地理的領域を定義するアクティビティマップと共に表示される、
所定のパラメータに対する１つ以上のユーザ入力に基づいて前記アクティブマップの前記地理的領域を動的に変更することと、ここにおいて、前記地理的領域の前記変更は、前記アクティビティマップと共に表示されるアクティブな候補インジケータの量の変化に帰着する、
をさらに備える、請求項１に記載の方法。
【請求項３】
アクティブな候補の前の位置特定の履歴統計を前記アクティビティマップ上に表示することをさらに備える、請求項２に記載の方法。
【請求項４】
前記１つ以上の広告を表示することをさらに備える、請求項１に記載の方法。
【請求項５】
前記イベントと関連付けられた１つ以上の社会的なイベントオプションを表示することをさらに備える、請求項１に記載の方法。
【請求項６】
前記候補の前記地理的な位置特定が、全地球測位システム（Global Positioning System：ＧＰＳ）に基づいて決定される、請求項１に記載の方法。
【請求項７】
ユーザのプロフィールを生成することはさらに、前記位置特定に基づくサービスへの登録の後にプロフィール関連の問いを用いて前記ユーザに質問することと、前記ユーザの前記プロフィールを、前記質問への応答に少なくとも一部基づいて生成することとを備える、請求項１に記載の方法。
【請求項８】
ユーザのプロフィールを生成することは、候補の希望の特性を示す希望のプロフィールを生成することをさらに備える、請求項１に記載の方法。
【請求項９】
候補を選択することをさらに備える、請求項１に記載の方法。
【請求項１０】
前記選択された候補に、前記候補であることを通知することをさらに備える、請求項９に記載の方法。
【請求項１１】
前記通知することが、会うための申し込みを暗示する、請求項１０に記載の方法。
【請求項１２】
前記会うための申し込みが承認されることを決定することをさらに備える、請求項１１に記載の方法。
【請求項１３】
前記承認の決定に応答して、広告を表示することをさらに備える、請求項１２に記載の方法。
【請求項１４】
趣味のグループの特徴を生成することは、時間制限を含む前記趣味のグループの特徴をさらに備える、請求項１に記載の方法。
【請求項１５】
所定のパラメータに対する１つ以上のユーザ入力に基づいて前記アクティビティマップの前記地理的領域を動的に変更することは、前記アクティビティマップのパラメータに対するユーザ入力に基づいて前記アクティビティマップの前記地理的領域を動的に変更することをさらに備える、請求項２に記載の方法。
【請求項１６】
前記アクティビティマップのパラメータに対する前記ユーザ入力に基づいて前記アクティビティマップの前記地理的領域を動的に変更することは、経度および緯度の範囲を調整するためのユーザ入力に基づいて前記アクティビティマップの前記地理的領域を動的に変更することをさらに備える、請求項１５に記載の方法。
【請求項１７】
前記アクティビティマップのパラメータに対する前記ユーザ入力に基づいて前記アクティビティマップの前記地理的領域を動的に変更することは、前記アクティビティマップをスクロールするためのユーザ入力に基づいて前記アクティビティマップの前記地理的領域を動的に変更することをさらに備える、請求項１５に記載の方法。
【請求項１８】
前記アクティブにされた趣味のグループの特徴は、デートの特徴（dating feature）を含む、請求項１に記載の方法。
【請求項１９】
１つ以上の候補のプロフィールは、前記アクティブにされたデートの特徴と関連付けられた前記ユーザの１つ以上の予想されるデートに対応する、請求項１８に記載の方法。
【請求項２０】
社会的ネットワークと関連付けられた位置特定に基づくサービスと対話するように構成された無線端末であって、
ユーザのプロフィールを生成する手段と、
前記無線端末を用いて前記プロフィールからの少なくとも１つの趣味に基づいて趣味のグループの特徴を生成する手段と、
前記無線端末から、前記趣味のグループの特徴をアクティブにする手段と、
前記無線端末から、前記趣味のグループの特徴と関係付けられた位置特定に基づくサービスに登録する手段と、
候補から１つ以上の応答を受信する手段と、ここで、前記候補の各々は、対応する候補のプロフィールと、各候補の地理的な位置特定とに基づいて、前記趣味のグループの特徴にアクセスする、
前記趣味のグループの特徴と関連付けられた商業エンティティから１つ以上の広告を受信する手段と、
を備え、
前記趣味のグループの特徴は、前記ユーザおよび少なくとも１つの候補が会うように取り決めたイベントに対応し、前記少なくとも１つの候補の前記対応する候補のプロフィールは、前記イベントの性質への関心を示し、前記候補の地理的な位置特定は、前記イベントのイベント位置特定に近い、無線端末。
【請求項２１】
前記１つ以上の応答が受信される前記候補と関連づけられた少なくとも１つのアクティブな候補インジケータを前記無線端末のディスプレイ上に表示する手段と、ここで、前記少なくとも１つのアクティブな候補インジケータは、地理的領域を定めるアクティビティマップと共に表示される、
所定のパラメータに対する１つ以上のユーザ入力に基づいて前記アクティビティマップの前記地理的領域を動的に変更する手段と、ここにで、前記地理的領域の前記変更は、前記アクティビティマップと共に表示されるアクティブな候補インジケータの量の変化に帰着する、
をさらに備える、請求項１９に記載の無線端末。
【請求項２２】
趣味のグループの特徴を生成することは、時間制限を含む前記趣味のグループの特徴を作成することをさらに備える、請求項２０に記載の無線端末。
【請求項２３】
社会的ネットワークと関連付けられた位置特定に基づくサービスと対話するように構成された無線端末であって、
ユーザのプロフィールを生成するように構成された論理と、
前記無線端末を用いて前記プロフィールからの少なくとも１つの趣味に基づいて趣味のグループの特徴を生成するように構成された論理と、
前記無線端末から、前記趣味のグループの特徴をアクティブにするように構成された論理と、
前記無線端末から、前記趣味のグループの特徴と関係付けられた位置特定に基づくサービスに登録するように構成された論理と、
候補から１つ以上の応答を受信するように構成された論理と、ここで、前記候補の各々は、対応する候補のプロフィールと、各候補の地理的な位置特定とに基づいて、前記趣味のグループの特徴にアクセスする、
前記趣味のグループの特徴と関連付けられた商業エンティティから１つ以上の広告を受信するように構成された論理と、
を備え、
前記趣味のグループの特徴は、前記ユーザおよび少なくとも１つの候補が会うように取り決めたイベントに対応し、前記少なくとも１つの候補の前記対応する候補のプロフィールは、前記イベントの性質への関心を示し、前記候補の地理的な位置特定は、前記イベントのイベント位置特定に近い、無線端末。
【請求項２４】
趣味のグループの特徴を生成することは、時間制限を含む前記趣味のグループの特徴をさらに備える、請求項２３に記載の無線端末。
【請求項２５】
格納された命令を含む非一時的なコンピュータ読出し可能な記憶媒体であって、前記命令は、社会的ネットワークと関連付けられた位置特定に基づくサービスと対話するように構成された無線端末によって実行されると、前記無線端に動作を実行させ、前記命令は、
ユーザのプロフィールを生成するプログラムコードと、
前記無線端末を用いて、前記プロフィールからの少なくとも１つの趣味に基づいて趣味のグループの特徴を生成するプログラムコードと、
前記無線端末から、前記趣味のグループの特徴をアクティブにするプログラムコードと、
前記無線端末から、前記趣味のグループの特徴と関係付けられた位置特定に基づくサービスに登録すプログラムコードと、
候補から１つ以上の応答を受信するプログラムコードと、ここで、前記候補の各々は、対応する候補のプロフィールと、各候補の地理的な位置特定とに基づいて、前記趣味のグループの特徴にアクセスする、
前記趣味のグループの特徴と関連付けられた商業エンティティから１つ以上の広告を受信するプログラムコードと、
を備え、
前記趣味のグループの特徴は、前記ユーザおよび少なくとも１つの候補が会うように取り決めたイベントに対応し、前記少なくとも１つの候補の前記対応する候補のプロフィールは、前記イベントの性質への関心を示し、前記候補の地理的な位置特定は、前記イベントのイベント位置特定に近い、非一時的なコンピュータ読出し可能な記憶媒体。
【請求項２６】
前記１つ以上の応答が受信される前記候補と関連づけられた少なくとも１つのアクティブな候補インジケータを前記無線端末のディスプレイ上に表示するプログラムコードと、ここで、前記少なくとも１つのアクティブな候補インジケータは、地理的領域を定めるアクティビティマップと共に表示される、
所定のパラメータに対する１つ以上のユーザ入力に基づいて前記アクティビティマップの前記地理的領域を動的に変更するプログラムコードと、ここで、前記地理的領域の前記変更は、前記アクティビティマップと共に表示されるアクティブな候補インジケータの量の変化に帰着する、
をさらに備える、請求項２５に記載の非一時的なコンピュータ読出し可能な記憶媒体。
【請求項２７】
趣味のグループの特徴を生成することは、時間制限を含む前記趣味のグループの特徴を生成することをさらに備える、請求項２５に記載の非一時的なコンピュータ読出し可能な記憶媒体。